(57)【特許請求の範囲】
【請求項１】
コンピュータネットワーク上に開設されたホームページにおいて提供されている有料情報等を購入する際に発生する代金を該コンピュータネットワークに接続された決済管理サーバを介して決済する決済方法であって、有料情報等の提供者を特定する固有の情報と該有料情報等の代金とをコンピュータネットワークを介して決済管理サーバに入力させるステップと、有料情報等を購入する意思表示をした利用者を特定する固有の情報をコンピュータネットワークを介して決済管理サーバに入力させるステップと、決済管理サーバが、意思表示情報生成手段にて利用者が購入する意思表示をした有料情報等の代金と利用者を特定する固有の情報とに基づき意思表示を特定する意思表示情報を生成するステップと、決済管理サーバが、前記意思表示をした利用者に対して当該意思表示情報をコンピュータネットワークを介して送信するステップと、前記意思表示をした利用者が所有する携帯電話機からの接続により前記意思表示情報を決済管理サーバに入力させるステップと、決済管理サーバが、前記意思表示情報を受信した場合に当該携帯電話機で利用できる電話回線網を所有する電話会社に対して前記代金と同額の利用料金を課金するよう促すステップと、決済管理サーバが、当該利用料金が電話使用料に課金された課金済通知を受けて認証情報生成手段にて前記意思表示をした利用者に対して課金された利用料金に基づく前記有料情報等を購入できる認証情報を生成するステップと、決済管理サーバが、当該認証情報を前記携帯電話機へ送信するステップと、を備えていることを特徴とする決済方法。
【請求項２】
コンピュータネットワーク上に開設されたホームページにおいて提供されている有料情報等を購入する際に発生する代金を該コンピュータネットワークに接続された決済管理サーバを介して決済する決済方法であって、有料情報等の提供者を特定する固有の情報と該有料情報等の代金とをコンピュータネットワークを介して決済管理サーバに入力させるステップと、有料情報等を購入する意思表示をした利用者を特定する固有の情報をコンピュータネットワークを介して決済管理サーバに入力させるステップと、決済管理サーバが、意思表示情報生成手段にて利用者が購入する意思表示をした有料情報等の代金と利用者を特定する固有の情報とに基づき意思表示を特定する意思表示情報を生成するステップと、決済管理サーバが、前記意思表示をした利用者に対して当該意思表示情報をコンピュータネットワークを介して送信するステップと、前記意思表示をした利用者が所有する電話機からの接続により前記意思表示情報を決済管理サーバに入力させるステップと、決済管理サーバが、前記意思表示情報を受信した場合に前記利用者が加入している電話会社に対して前記代金と同額の利用料金を課金するよう促すステップと、決済管理サーバが、当該利用料金が電話使用料に課金された課金済通知を受けて認証情報生成手段にて前記意思表示をした利用者に対して課金された利用料金に基づく前記有料情報等を購入できる認証情報を生成するステップと、決済管理サーバが、当該認証情報を前記電話機へ送信するステップと、を備えていることを特徴とする決済方法。
【発明の詳細な説明】
【０００１】
【発明の属する技術分野】
本発明は、コンピュータネットワーク上に開設された有料情報提供サイトや仮想店舗サイトのホームページにおける有料情報の閲覧、有料データのダウンロード、商品の購入等の際に発生する代金の支払いを電話会社から利用料金が支払われるシステムに代わってコンピュータシステムを用いて決済する決済方法に関するものである。
【０００２】
【従来の技術】
周知の通り、近年、ＰＨＳを含む携帯電話機が広く普及しており、当該携帯電話機は電話本来の使用方法の外に、電話会社を経由し、インターネットに接続してコンピュータネットワーク上に開設された有料情報提供サイトや仮想店舗サイト等にアクセスし、有料情報提供サイトのホームページ（以下、単に「ＨＰ」という。）において有料情報を閲覧したり、有料データをダウンロードするという使用方法や仮想店舗サイトのＨＰにおいて商品を購入するという使用方法にも活用されている。そして、これらの使用方法により発生する利用料金は電話会社が電話使用料と共に請求するシステムになっている。
【０００３】
前記システムを図面に基づいて詳細に説明する。
【０００４】
図３１は携帯電話機を所有する利用者が利用できるコンピュータネットワークの現状を図示したブロック図であり、１はインターネット網へ接続してＷebにアクセスすることができる機能を有する携帯電話機であり、携帯電話機１にはＷeb閲覧が可能な表示部1aと、文字や記号等を入力することができる入力部1bと、入力部1bより入力された文字列を確定したり、アイテムを選択したりする決定キー1cとが設けられており、ブラウザを起動できる機能を備え、ＷＷＷ（World Wide Web）サーバ上のＣＧＩ（Common Gateway Interface）プログラムの実行に対応してデータを送受信できる機能を備えている。また、２は携帯電話機１で利用できる電話回線網３とＤＮＳ（Domain Name System）サーバ（図示せず。）とを所有している電話会社であり、電話会社２は携帯電話機１の加入者データベース４と、電話会社２が利用料金の課金を行っている有料情報提供ＨＰや仮想店舗ＨＰ等に対するアクセスにより発生する前記利用料金を管理する課金対象用リンク管理サーバ５とを所有している（なお、携帯電話機本来の使用のための制御装置については省略されている。）。６は携帯電話機１を所有する利用者であり、利用者６のデータは利用者６の携帯電話機１に割り当てられた電話番号と利用者６の氏名、住所及び取引銀行の口座番号等とを対応させて前記加入者データベース４に構築されており、加入者データベース４に記録された利用者データと対応した前記利用料金の課金データが前記有料情報提供ＨＰを開設している情報提供者のデータや前記仮想店舗ＨＰを開設している仮想店舗管理者のデータに対応させた状態で前記課金対象用リンク管理サーバ５に構築されている。また、７は前記インターネット網であり、インターネット網７と電話回線網３とは電話会社２のＤＮＳサーバを介して接続されている。また、８は携帯電話機１で利用できる前記有料情報提供ＨＰをプロバイダ（図示せず。）を介してインターネット網７上に開設している前記情報提供者であり、情報提供者８が所有しているコンピュータ端末９がインターネット網７に接続されている。また、10は携帯電話機１で利用できる前記仮想店舗ＨＰをインターネット網７上に開設している前記仮想店舗管理者であり、仮想店舗管理者10が所有しているＷＷＷサーバ11がインターネット網７に接続されている。
【０００５】
前記現状のコンピュータネットワークにおいては、利用者６が携帯電話機１の入力部1bからＨＰのＵＲＬ（Uniform Resource Locator）を入力するか、或いは、携帯電話機１に登録されているメニュー画面から決定キー1cで順次選択して確定する等して、電話会社２との間で利用料金を課金する契約をしている情報提供者８の有料情報提供ＨＰや同じく利用料金を課金する契約をしている仮想店舗管理者10の仮想店舗ＨＰへ接続し、有料情報の閲覧、有料データのダウンロード、或いは、商品の購入等の意思表示をすれば、携帯電話機１が一旦、電話会社２に接続されて課金対象用リンク管理サーバ５にて課金対象のＨＰアドレスであるか否かが判断された後、前記情報提供者８のデータ、或いは、前記仮想店舗管理者10のデータと対応させて利用者６の電話使用料に利用料金を課金した後、前記有料情報提供ＨＰ、或いは、前記仮想店舗ＨＰに再び接続されて前記意思表示した内容が実行できるようになっている。そして、前記利用料金は加入者データベース４と課金対象用リンク管理サーバ５とに構築されたデータに基づいて電話会社２が電話使用料と共に利用者６へ請求し、情報提供者８や仮想店舗管理者10に対しては電話会社２から前記利用料金が支払われるシステムになっている。
【０００６】
【発明が解決しようとする課題】
前述した通り、前記利用料金は電話会社２が請求しているため、情報提供者８や仮想店舗管理者10等は電話会社２との間で利用料金を課金する契約をしなければならないが、契約待ちの情報提供者８や仮想店舗管理者10等が多数存在し、コンピュータネットワークを利用する商取引において大きな障害となっている。しかも、一つの電話会社２と契約しても複数存在する他の電話会社の電話回線網を使用する携帯電話機の所有者には有料情報等を提供できないという問題点があった。
【０００７】
そこで、本発明者は、情報提供者や仮想店舗管理者等が電話会社との間で利用料金を課金する契約をしなくても、有料情報の閲覧、有料データのダウンロード、商品の購入等の際に発生する代金を受け取ることができる決済方法を提供することを技術的課題として、その具現化をはかるべく研究・実験を重ねた結果、認証情報管理者が電話会社との間で利用料金を課金する従来の契約を締結した課金対象のＨＰアドレスを保有し、情報提供者の有料情報提供ＨＰや仮想店舗管理者の仮想店舗ＨＰ等にて有料情報の閲覧、有料データのダウンロード、或いは、商品の購入等の意思表示をした利用者とその代金とに基づく情報を生成して該情報を前記意思表示をした有料情報提供ＨＰや仮想店舗ＨＰ等にて表示させ、携帯電話機から前記情報が送信されることにより、代金と同額の課金対象のＨＰアドレスに関連付けられた認証情報を介して利用者と情報提供者や仮想店舗管理者等との間で商取引を成立させれば、情報提供者や仮想店舗管理者等が電話会社との間で前記従来の契約をしていなくても、電話会社から受け取った利用料金を情報提供者や仮想店舗管理者等に支払うことができるという知見を得、前記技術的課題を達成したものである。
【０００８】
また、前記携帯電話機と同様のＷeb閲覧が可能な表示部と文字や記号等を入力することができる入力部と該入力部より入力された文字列を確定したり、アイテムを選択したりする決定キーとが設けられてブラウザを起動できる機能を備え、ＷＷＷサーバ上のＣＧＩプログラムの実行に対応してデータを送受信できる機能を備えている一般家庭や事務所等に設置される据置型電話機（本明細書においては、単に「電話機」と称し、携帯電話機と区別する。）からの接続においても、有料情報等を購入する意思表示をした利用者が加入している電話会社から受け取った利用料金を情報提供者や仮想店舗管理者等に支払うことができるという知見を得、前記技術的課題を達成したものである。
【０００９】
【課題を解決するための手段】
前記技術的課題は、次の通りの本発明によって解決できる。
【００１０】
本発明に係る決済方法は、コンピュータネットワーク上に開設されたホームページにおいて提供されている有料情報等を購入する際に発生する代金を該コンピュータネットワークに接続された決済管理サーバを介して決済する決済方法であって、有料情報等の提供者を特定する固有の情報と該有料情報等の代金とをコンピュータネットワークを介して決済管理サーバに入力させるステップと、有料情報等を購入する意思表示をした利用者を特定する固有の情報をコンピュータネットワークを介して決済管理サーバに入力させるステップと、決済管理サーバが、意思表示情報生成手段にて利用者が購入する意思表示をした有料情報等の代金と利用者を特定する固有の情報とに基づき意思表示を特定する意思表示情報を生成するステップと、決済管理サーバが、前記意思表示をした利用者に対して当該意思表示情報をコンピュータネットワークを介して送信するステップと、前記意思表示をした利用者が所有する携帯電話機からの接続により前記意思表示情報を決済管理サーバに入力させるステップと、決済管理サーバが、前記意思表示情報を受信した場合に当該携帯電話機で利用できる電話回線網を所有する電話会社に対して前記代金と同額の利用料金を課金するよう促すステップと、決済管理サーバが、当該利用料金が電話使用料に課金された課金済通知を受けて認証情報生成手段にて前記意思表示をした利用者に対して課金された利用料金に基づく前記有料情報等を購入できる認証情報を生成するステップと、決済管理サーバが、当該認証情報を前記携帯電話機へ送信するステップと、を備えているものである。
【００１１】
また、本発明に係る決済方法は、コンピュータネットワーク上に開設されたホームページにおいて提供されている有料情報等を購入する際に発生する代金を該コンピュータネットワークに接続された決済管理サーバを介して決済する決済方法であって、有料情報等の提供者を特定する固有の情報と該有料情報等の代金とをコンピュータネットワークを介して決済管理サーバに入力させるステップと、有料情報等を購入する意思表示をした利用者を特定する固有の情報をコンピュータネットワークを介して決済管理サーバに入力させるステップと、決済管理サーバが、意思表示情報生成手段にて利用者が購入する意思表示をした有料情報等の代金と利用者を特定する固有の情報とに基づき意思表示を特定する意思表示情報を生成するステップと、決済管理サーバが、前記意思表示をした利用者に対して当該意思表示情報をコンピュータネットワークを介して送信するステップと、前記意思表示をした利用者が所有する電話機からの接続により前記意思表示情報を決済管理サーバに入力させるステップと、決済管理サーバが、前記意思表示情報を受信した場合に前記利用者が加入している電話会社に対して前記代金と同額の利用料金を課金するよう促すステップと、決済管理サーバが、当該利用料金が電話使用料に課金された課金済通知を受けて認証情報生成手段にて前記意思表示をした利用者に対して課金された利用料金に基づく前記有料情報等を購入できる認証情報を生成するステップと、決済管理サーバが、当該認証情報を前記電話機へ送信するステップと、を備えているものである。
【００１２】
【発明の実施の形態】
以下、本発明の一例を示す実施の形態を図面に基づき説明する。
【００１３】
実施の形態１．
【００１４】
図１は本実施の形態に係る決済方法を採用したコンピュータネットワークのブロック図、図２は図１に示す認証情報生成サーバのハードウェア構成図、図３は図２に示すプログラム記憶部のメモリ構成図、図４は図２に示す第一補助記憶部に格納されている認証希望者用データベースのデータ構成図、図５は図２に示す第二補助記憶部に格納されているマーケットＨＰ提供者用データベースのデータ構成図、図６は図２に示す第三補助記憶部に格納されている課金対象ＨＰアドレス用データベースのデータ構成図、図７は本実施の形態に係る決済方法におけるマーケットページ番号データを生成する方法を説明するブロック図、図８〜図１８は本実施の形態に係る決済方法における実行プログラムの一例を説明するフローチャート図、図１９〜図２９は図８〜図１８に示すプログラムにおいて表示される画面の説明図、図３０は決済方法の一例を説明する図であり、これらの図において、図３１と同一符号は同一又は相当部分を示し、携帯電話機１、電話会社２、電話回線網３、電話会社２の加入者データベース４、電話会社２の課金対象用リンク管理サーバ５、携帯電話機１を所有する利用者６及びインターネット網７は図３１に示す現状のコンピュータネットワークにおけるものと同じであり、説明を省略する。
【００１５】
12はプロバイダを介してインターネット網７上に有料情報提供サイトのＨＰ（以下、「マーケットＨＰ」ともいう。）を開設する情報提供者（以下、「ＨＰ開設者」ともいう。）であり、電話会社２の電話回線網３を使用できる携帯電話機１とコンピュータ端末９とを所有している。13はインターネット網７上に仮想店舗サイトのＨＰ（以下、「マーケットＨＰ」ともいう。）を開設する仮想店舗管理者（以下、「ＨＰ開設者」ともいう。）であり、電話会社２の電話回線網３を使用できる携帯電話機１とＷＷＷサーバ11とを所有している。14は電話回線網３を利用できる携帯電話機１を所有している利用者であり、該利用者14はプロバイダを介してインターネット網７上に開設された有料情報提供サイトのＨＰや仮想店舗サイトのＨＰに接続できるコンピュータ端末９を所有しており、利用者６と同様に、利用者14のデータが該利用者14の携帯電話機１に割り当てられた電話番号と利用者14の氏名、住所及び取引銀行の口座番号等とを対応させて電話会社２の加入者データベース４に構築されている。なお、利用者６，14が情報提供者８の有料情報提供ＨＰや仮想店舗管理者10の仮想店舗ＨＰにて有料情報の閲覧、有料データのダウンロード、商品の購入等をした場合には、従来と同様に、加入者データベース４に記録されている利用者データと対応した利用料金の課金データが電話会社２との間で課金する契約をしている情報提供者８のデータや仮想店舗管理者10のデータに対応させた状態で課金対象用リンク管理サーバ５に構築される。
【００１６】
15は図２に示すハードウェア構成からなる認証情報生成サーバ（決済管理サーバ）16を管理する認証情報管理者であり、当該認証情報管理者15は図３１に示す情報提供者８や仮想店舗管理者10と同様に、電話会社２との間で利用料金の金額毎に利用料金を課金する契約をしており、課金する契約をした利用料金別の課金対象ＨＰアドレス（以下、単に「ＨＰアドレス」ともいう。）が認証情報生成サーバ16の後述する課金対象ＨＰアドレス用データベースに構築されており、当該ＨＰアドレスが電話会社２の課金対象用リンク管理サーバ５に登録されている。そして、認証情報生成サーバ16は電話回線を経由してインターネット網７に接続されており、有料情報提供ＨＰや仮想店舗ＨＰ等にて利用者６，14が有料情報の閲覧、有料データのダウンロード、商品の購入等（以下、有料情報，有料データ及び商品等を総称して「有料情報等」ともいい、閲覧，ダウンロード及び購入等する行為を総称して「購入」ともいう。）の意思表示をした場合に利用者６，14の固有の情報と有料情報等の代金とに基づく意思表示を特定する意思表示情報であるマーケットページ番号（以下、単に「ページ番号」ともいう。）データを送信すると共に、前記ページ番号データを携帯電話機１から受信することにより、前記代金と同額の課金された利用料金のＨＰアドレスに関連付けられた、有料情報等を購入できる認証情報（以下、「認証番号」ともいう。）データを送信している。
【００１７】
前記認証情報生成サーバ16は、図２に示すように、主記憶部、演算部及び制御部から構成されている一般に中央演算処理装置（ＣＰＵ）といわれる制御装置（意思表示情報生成手段，認証情報生成手段）17と、図８〜図１８に示す決済実行プログラムが記憶されたプログラム記憶部18と、有料情報提供ＨＰや仮想店舗ＨＰの有料情報等を購入する意思表示をした利用者６，14に関するデータを制御装置17の制御により記録した認証希望者用データベース（利用者管理データベース）が格納されている第一補助記憶部（利用者記憶手段）19と、ＨＰ開設者12，13に関するデータを制御装置17の制御により記録したマーケットＨＰ提供者用データベース（ホームページ提供者管理データベース）が格納されている第二補助記憶部（提供者記憶手段）20と、電話会社２の課金対象用リンク管理サーバ５に登録されている利用料金毎のＨＰアドレスと該ＨＰアドレスに対応するＨＰとを記録したＨＰアドレス用データベース（ホームページアドレス管理データベース）が格納されている第三補助記憶部21と、携帯電話機１やコンピュータ端末９からの接続要求やshtml ，hdml等のＨＰ作成用言語で作成されたプログラムファイルやデータファイル等の各種データに対して接続の可否をＯＳレベルで制御し、環境変数から携帯電話機１の特定コードを取得する入力判定部22と、インターネット網７への各種データの出力の可否をＯＳレベルで制御する出力判定部23とから構成されている。
【００１８】
前記制御装置17は、プログラム記憶部18、第一，第二，第三補助記憶部19，20，21、入力判定部22及び出力判定部23を制御すると共に、プログラム記憶部18から決済実行プログラムを読み込んで実行して、ＨＰ開設者12，13に対して該ＨＰ開設者12，13を特定する固有の情報と該有料情報等のマーケットＨＰアドレスと該有料情報等の代金との入力を促し、有料情報等を購入する意思表示をした利用者６，14に対して該利用者６，14を特定する固有の情報の入力を促し、有料情報等を購入する意思表示データを受信することにより、認証希望者用データベースに記録されている当該意思表示をした利用者６，14を特定する固有の情報データとマーケットＨＰ提供者用データベースに記録されている前記有料情報等の代金データとに基づき前記意思表示を特定するページ番号データを生成して認証希望者用データベースに記録し、前記意思表示をした利用者６，14が所有する携帯電話機１からの接続により前記ページ番号データを受信した場合に該携帯電話機１で利用できる電話回線網３を所有する電話会社２にて課金された、前記代金と同額の利用料金に基づく前記有料情報等を購入できる認証番号を生成し、利用者６，14を特定する固有の情報データに関連付けて認証希望者用データベースに記録し、当該認証番号を介して利用者６，14とＨＰ開設者12，13との間での商取引を成立させる制御をしている。
【００１９】
前記プログラム記憶部18には、図３に示すように、前記決済実行プログラムデータを記憶したプログラムデータメモリm1とＨＰ開設者12，13を特定する固有の情報と代金（以下、「商品金額」ともいう。）とに対応させて設けられた登録情報（以下、「登録番号」ともいう。）データを一時格納する登録番号データメモリm2とＨＰ開設者12，13のマーケットＨＰに表示されている有料情報等（以下、「商品名」ともいう。）の商品金額データを一時格納する商品金額データメモリm3と有料情報等を購入する意思表示をした日時データを一時格納する現在日時データメモリm4と前記ページ番号データを一時格納するページ番号データメモリm5とが含まれている。
【００２０】
前記第一補助記憶部（利用者記憶手段，意思表示情報記憶手段）19には、図４に示すように、利用者６，14に関するデータを記録した前記認証希望者用データベース24が格納されており、認証希望者用データベース24は、利用者６，14の「氏名」データ，「住所」データ，「携帯電話番号」データ，「性別」データ及び「生年月日」データ等の利用者固有の所要情報（利用者を特定する固有の情報）データと、「利用者登録番号」データと、携帯電話機固有の「特定コード」（或いは「特定コード」に代わる「識別コード」）と、「利用前マーケットページ番号」データ及び「利用後マーケットページ番号」データと、「認証番号」データ及び「認証番号発行日」データと、「課金日」データ，課金の対象となった「ＨＰアドレス」データ，課金された利用料金に対応する「商品名」データ及び「商品金額」データ等の決済実績データと、その他、利用料金の支払い状況等の信用情報データとを含んで構成されている。
【００２１】
前記第二補助記憶部20には、図５に示すように、ＨＰ開設者12，13に関するデータを記録した前記マーケットＨＰ提供者用データベース25が格納されており、マーケットＨＰ提供者用データベース25は、ＨＰ開設者12，13の「マーケットＨＰアドレス」データと、「運営者名」データ，「住所」データ，「携帯電話番号」データ，「振込先銀行名」データ及び「口座番号」データ等のＨＰ開設者固有の所要情報（提供者を特定する固有の情報）データと、携帯電話機固有の「特定コード」（或いは「特定コード」に代わる「識別コード」）と、「メールアドレス」データと、「商品名」データ及び「商品金額」データと、「登録番号」データ，「ユーザ名」データ及び「ＩＤ」データと、その他、取引の対象となった「利用者」データ、「商品名」データ及び「商品金額」データ等の決済実績データとを含んで構成されている。そして、マーケットＨＰ提供者用データベース25の前記所要情報データと前記「メールアドレス」データと前記「商品名」データと前記「商品金額」データとからなるマーケット情報データは制御装置17の制御による追加、削除、修正等により更新されて最新の情報が記録されている。
【００２２】
前記第三補助記憶部21には、図６に示すように、前記ＨＰアドレス用データベース26が格納されており、ＨＰアドレス用データベース26は電話会社２の課金対象用リンク管理サーバ５に登録されている利用金額毎の各「ＨＰアドレス」データ（例えば、2000円の課金であればgetdbzzz.htm、3000円の課金であればgetdczzz.htm等）と、該各ＨＰアドレスに対応した利用料金毎の「ＨＰ（認証番号表示画面（図２８参照））」データとを含んで構成されている。そして、当該各利用料金が同額の前記代金と対応する。
【００２３】
なお、他の電話会社との間で締結している電話使用料に課金する契約をしている利用料金に対しても同様に前記データが構築されている。
【００２４】
次に、決済実行プログラムについて説明する。なお、前記利用者６が所有する携帯電話機１を他の携帯電話機１と区別するために携帯電話機106 とし、前記利用者14が所有する携帯電話機１を他の携帯電話機１と区別するために携帯電話機114 とし、前記情報提供者12が所有する携帯電話機１を他の携帯電話機１と区別するために携帯電話機112 とし、前記仮想店舗管理者13が所有する携帯電話機１を他の携帯電話機１と区別するために携帯電話機113 とする。
【００２５】
決済実行プログラムは、ＨＰ開設者12，13を特定する固有の所要情報と有料情報等を提供するマーケットＨＰアドレスと該アドレスに表示する商品名（有料情報等）と商品金額（代金）等とをマーケットＨＰ提供者用データベース25に登録をするマーケット登録処理プログラムと（図８参照）、有料情報等を購入する意思表示をした利用者６，14の前記所要情報が入力されることにより意思表示情報（ページ番号）データを生成して該意思表示情報を利用者６，14に通知する認証希望登録処理プログラム（図１５及び図１７参照）と、携帯電話機106 ，114 から前記意思表示情報データが送信されることにより、電話会社２での課金を済ませた後、認証情報（認証番号）を生成して該認証情報を前記利用者６，14に通知する認証情報付与処理プログラム（図１８参照）と、当該認証情報を介して前記利用者６，14とＨＰ開設者12，13との間で商取引を成立さる認証処理プログラム（図１６参照）とからなる。
【００２６】
前記マーケット登録処理プログラムには、図９に示すように、新規ＨＰ開設者12，13の固有の所要情報等をマーケットＨＰ提供者用データベース25に登録する新規登録処理プログラム（図１０及び図１１参照）と、マーケットＨＰ提供者用データベース25に登録されているＨＰ開設者12，13の所要情報等を訂正・変更する登録修正処理プログラム（図１２及び図１３参照）と、マーケットＨＰ提供者用データベース25に登録されているＨＰ開設者12，13の所要情報等を削除して登録を解約する登録削除処理プログラム（図１４参照）とが設けられている。
【００２７】
前記認証希望登録処理プログラムには、前記利用者14がコンピュータ端末９にてマーケットＨＰに接続し、該マーケットＨＰの有料情報等を購入する意思表示をした場合に起動する第一認証希望登録処理プログラム（図１５参照）と、前記利用者６，14が携帯電話機106 ，114 にてマーケットＨＰに接続し、該マーケットＨＰの有料情報等を購入する意思表示をした場合に起動する第二認証希望登録処理プログラム（図１７参照）とが設けられている。
【００２８】
そして、前記認証情報付与処理プログラムは、前記利用者６，14が携帯電話機106 ，114 にて認証情報生成サーバ16に接続して認証情報を希望する選択をした場合、及び、前記第二認証希望登録処理プログラムの後に認証情報を希望する選択をした場合に起動する。
【００２９】
なお、前記認証希望登録処理プログラムにおいて、携帯電話機１によりアクセスした場合にコンピュータ端末９による場合と同様に、第一認証希望登録処理プログラムが起動するようにしてもよい。
【００３０】
先ず、ＨＰ開設者12，13がマーケットＨＰの登録を希望する場合について説明する。
【００３１】
ＨＰ開設者12，13が携帯電話機112 ，113 に登録されている認証情報管理者15の認証情報生成サーバ16に接続するためのウインドウを携帯電話機112 ，113 の入力部1bと決定キー1cを操作して表示部1aに表示させてクリックすれば、或いは、インターネット網７を経由して認証情報管理者15の認証情報生成サーバ16に接続すれば、認証情報生成サーバ16の入力判定部22において、接続されている携帯電話機112 ，113 は認証情報管理者15が利用料金を課金する契約をしている電話会社２の携帯電話機１であるか否かを判断し、当該指定の携帯電話機１であれば、接続により入力判定部22が受信した環境変数から携帯電話機112 ，113 の特定コードを取得した後、制御装置17の制御により、プログラム記憶部18のプログラムデータメモリm1に記憶されている決済実行プログラムが制御装置17に読み込まれ、該決済実行プログラムが実行される。なお、前記指定の携帯電話機１でなければ、画面１（図１９参照）を表示させて接続を拒否する。また、前記特定コード（識別コード）は必ずしも携帯電話機112 ，113 の接続時に得られなければならないものではない。
【００３２】
決済実行プログラムが実行されると、図８に示すように、先ず、制御装置17の制御により、出力判定部23から携帯電話機112 ，113 に対して「認証番号希望」及び「マーケット登録」のいずれかを選択する画面２（図２０の（ａ）参照）を表示させるデータを送信する（ステップｓ１）。これにより、携帯電話機112 ，113 の表示部1aに画面２が表示され、ＨＰ開設者12，13が入力部1bと決定キー1cとを操作して画面２より「認証番号希望」及び「マーケット登録」のいずれかを選択する。ＨＰ開設者12，13の選択により、携帯電話機112 ，113 から認証情報生成サーバ16へ選択データが送信されて入力判定部22が選択データを受信すると、制御装置17の制御により、受信した選択データがいずれであるかを判断し（ステップｓ２）、「マーケット登録」を選択した選択データであれば、制御装置17の制御により決済実行プログラムのマーケット登録処理プログラムが起動し（ステップｓ３）、図９に示すように、出力判定部23から携帯電話機112 ，113 に対して「新規マーケット登録」、「マーケット情報修正」及び「マーケット情報削除」のいずれかを選択する画面３（図２０の（ｂ）参照）を表示させるデータを送信する（ステップｓ４）。これにより、携帯電話機112 ，113 の表示部1aに画面３が表示され、ＨＰ開設者12，13が入力部1bと決定キー1cとを操作して画面３より「新規マーケット登録」、「マーケット情報修正」及び「マーケット情報削除」のいずれかを選択する。ＨＰ開設者12，13の選択により、携帯電話機112 ，113 から認証情報生成サーバ16へ選択データが送信されて入力判定部22が選択データを受信すると、制御装置17の制御により受信した選択データがいずれであるかを判断し（ステップｓ５）、「新規マーケット登録」を選択した選択データであれば、制御装置17の制御によりマーケット登録処理プログラムの新規登録処理プログラムが起動する（ステップｓ６）。
【００３３】
新規登録処理プログラムでは、図１０及び図１１に示すように、先ず、出力判定部23から携帯電話機112 ，113 に対してＨＰ開設者12，13が有料情報等を提供するマーケットＨＰアドレスを入力する画面４（図２０の（ｃ）参照）を表示させるデータを送信する（ステップｓ７）。これにより、携帯電話機112 ，113 の表示部1aに画面４が表示され、ＨＰ開設者12，13が入力部1bと決定キー1cとを操作して画面４よりマーケットＨＰアドレスを入力して登録ボタンをクリックする。ＨＰ開設者12，13の操作により、携帯電話機112 ，113 から認証情報生成サーバ16へマーケットＨＰアドレスデータが送信されて入力判定部22がマーケットＨＰアドレスデータを受信すると、制御装置17の制御により、受信したマーケットＨＰアドレスデータが第二補助記憶部20のマーケットＨＰ提供者用データベース25に既に登録されているか否かを判断し（ステップｓ８）、新規の登録であれば、マーケットＨＰ提供者用データベース25に当該マーケットＨＰアドレスデータを記録して（ステップｓ９）、携帯電話機112 ，113 に対してＨＰ開設者12，13を特定する固有の所要情報（例えば、「運営者の名前」、「住所」、「携帯電話番号」、「振込先銀行名」及び「口座番号」）を入力する画面５（図２０の（ｄ）参照）を表示させるデータを送信する（ステップｓ10）。これにより、携帯電話機112 ，113 の表示部1aに画面５が表示され、ＨＰ開設者12，13が入力部1bと決定キー1cとを操作して画面５より前記所要情報を入力して登録ボタンをクリックする。ＨＰ開設者12，13の操作により、携帯電話機112 ，113 から認証情報生成サーバ16へ所要情報データが送信されて入力判定部22が所要情報データを受信すると、制御装置17の制御により、当該所要情報データを前記マーケットＨＰアドレスと関連付けてマーケットＨＰ提供者用データベース25に記録し（ステップｓ11）、携帯電話機112 ，113 の接続によって環境変数から特定コードが得られていれば（ステップｓ12）、ＨＰ開設者12，13が入力した所要情報の精度を高めるために該特定コードを合わせて記録する（ステップｓ13）。ステップｓ12において特定コードが得られていないと判断した場合及びステップｓ13に続いて、出力判定部23から携帯電話機112 ，113 に対してＨＰ開設者12，13のメールアドレスを入力する画面６（図２０の（ｅ）参照）を表示させるデータを送信する（ステップｓ14）。これにより、携帯電話機112 ，113 の表示部1aに画面６が表示され、ＨＰ開設者12，13が入力部1bと決定キー1cとを操作して画面６よりメールアドレスを入力して登録ボタンをクリックする。ＨＰ開設者12，13の操作により、携帯電話機112 ，113 から認証情報生成サーバ16へメールアドレスデータが送信されて入力判定部22がメールアドレスデータを受信すると、制御装置17の制御により、当該メールアドレスデータを前記所要情報と関連付けてマーケットＨＰ提供者用データベース25に記録し（ステップｓ15）、続いて、出力判定部23から携帯電話機112 ，113 に対してＨＰ開設者12，13のマーケットＨＰにて提供される商品名（有料情報等）を入力する画面７（図２０の（ｆ）参照）を表示させるデータを送信する（ステップｓ16）。これにより、携帯電話機112 ，113 の表示部1aに画面７が表示され、ＨＰ開設者12，13が入力部1bと決定キー1cとを操作��て画面７より商品名を入力して登録ボタンをクリックする。ＨＰ開設者12，13の操作により、携帯電話機112 ，113 から認証情報生成サーバ16へ商品名データが送信されて入力判定部22が商品名データを受信すると、制御装置17の制御により、当該商品名データを前記マーケットＨＰアドレスと関連付けてマーケットＨＰ提供者用データベース25に記録し（ステップｓ17）、出力判定部23から携帯電話機112 ，113 に対して商品金額（代金）を入力する画面８（図２０の（ｇ）参照）を表示させるデータを送信する（ステップｓ18）。これにより、携帯電話機112 ，113 の表示部1aに画面８が表示され、ＨＰ開設者12，13が入力部1bと決定キー1cとを操作して画面８より商品金額を入力して登録ボタンをクリックする。ＨＰ開設者12，13の操作により、携帯電話機112 ，113 から認証情報生成サーバ16へ商品金額データが送信されて入力判定部22が商品金額データを受信すると、制御装置17の制御により、当該商品金額データを前記商品名と関連付けてマーケットＨＰ提供者用データベース25に記録した後（ステップｓ19）、前記商品名の商品金額を特定する固有の登録番号を生成してマーケットＨＰ提供者用データベース25に記録すると共に（ステップｓ20）、前記所要情報に対応したユーザ名及びＩＤを生成してマーケットＨＰ提供者用データベース25に記録する（ステップｓ21）。そして、出力判定部23から携帯電話機112 ，113 に対してマーケット情報の登録完了の画面９（図２０の（ｈ）参照）を表示させるデータを送信する（ステップｓ22）。これにより、携帯電話機112 ，113 の表示部1aに画面９が表示され、ＨＰ開設者12，13が入力部1bと決定キー1cとを操作して画面９よりＯＫボタンをクリックする。ＨＰ開設者12，13の操作により、携帯電話機112 ，113 から認証情報生成サーバ16へクリック信号が送信されて入力判定部22がクリック信号を受信すると、マーケットページ番号（意思表示情報）を表示させるためのスクリプトへアクセスできるページアドレスと前記ユーザ名とＩＤとを記載したメールに利用者固有の所要情報等を入力するためのスクリプトを添付して前記メールアドレスへ送信して（ステップｓ23）、新規登録処理プログラムを終了してステップｓ１へ戻る。
【００３４】
前記ステップｓ８において、マーケットＨＰアドレスデータが第二補助記憶部20のマーケットＨＰ提供者用データベース25に既に登録されている場合には、登録済等を知らせる画面を表示させて新規登録処理プログラムを中断してステップｓ１へジャンプする。
【００３５】
なお、前記ステップｓ19に続いて、前記ステップｓ22を処理し、携帯電話機112 ，113 の表示部1aに画面９が表示されることによりＯＫボタンがクリックされ、登録を了承する意思表示のデータを入力判定部22が受信することによりステップｓ20，ｓ21を処理してステップｓ１へ戻るようにしてもよく、その際には、前記ステップｓ９〜ｓ19において、ＨＰ開設者12，13が入力した前記マーケット情報データをプログラム記憶部18へ一時格納して、登録を了承する意思表示のデータを受信することにより、前記マーケット情報データをマーケットＨＰ提供者用データベース25に記録してステップｓ20，ｓ21を処理すればよく、登録を中止する意思表示のデータを受信した場合には、プログラム記憶部18に格納されている前記マーケット情報データを削除してステップｓ１へジャンプすればよい。なお、前記ステップｓ23における登録の通知は後日実施するようにしてもよい。
【００３６】
図９に示す前記ステップｓ５において、「マーケット情報修正」を選択した選択データであれば、制御装置17の制御により、マーケット登録処理プログラムの登録修正処理プログラムが起動する（ステップｓ24）。
【００３７】
登録修正処理プログラムでは、図１２及び図１３に示すように、先ず、出力判定部23から携帯電話機112 ，113 に対して、ＨＰ開設者12，13に通知されている前記ユーザ名及びＩＤを入力する画面10（図２１の（ａ）参照）を表示させるデータを送信する（ステップｓ25）。これにより、携帯電話機112 ，113 の表示部1aに画面10が表示され、ＨＰ開設者12，13が同様にして画面10よりユーザ名及びＩＤを入力して登録ボタンをクリックする。携帯電話機112 ，113 から認証情報生成サーバ16へユーザ名データ及びＩＤデータが送信されて入力判定部22がユーザ名データ及びＩＤデータを受信すると、制御装置17の制御により、受信したユーザ名データ及びＩＤデータが第二補助記憶部20のマーケットＨＰ提供者用データベース25に存在するか否かを判断し（ステップｓ26）、存在していれば、特定コードが得られているか否かを判断し（ステップｓ27）、得られていれば、接続されている携帯電話機112 ，113 の特定コードとマーケットＨＰ提供者用データベース25に記録されているユーザ名及びＩＤに対応した特定コードとを照合し（ステップｓ28）、該ステップｓ28において満足していると判断した場合及びステップｓ27において特定コードが得られていないと判断した場合に続いて、ＨＰ開設者12，13を特定する固有の所要情報を入力する前記画面５を表示させるデータを送信する（ステップｓ29）。これにより、携帯電話機112 ，113 の表示部1aに表示された画面５よりＨＰ開設者12，13が変更する所要情報を入力、或いは、変更する該当項目無しとして登録ボタンをクリックする。入力判定部22がクリック信号を受信すると、制御装置17の制御により、所要情報が入力されているか否かを判断し（ステップｓ30）、入力されていれば、前記ユーザ名からマーケットＨＰ提供者用データベース25に登録されている該当所要情報を検索して該所要情報を入力された所要情報に訂正して更新し（ステップｓ31）、ステップｓ30において入力されていないと判断した場合及びステップｓ31に続いて、ＨＰ開設者12，13のメールアドレスを入力する前記画面６を表示させるデータを送信する（ステップｓ32）。これにより、携帯電話機112 ，113 の表示部1aに表示された画面６よりＨＰ開設者12，13が変更するメールアドレスを入力、或いは、変更する該当項目無しとして登録ボタンをクリックする。入力判定部22がクリック信号を受信すると、制御装置17の制御により、メールアドレスが入力されているか否かを判断し（ステップｓ33）、入力されていれば、制御装置17の制御により、前記ユーザ名からマーケットＨＰ提供者用データベース25に登録されているメールアドレスを検索して該メールアドレスを入力されたメールアドレスに訂正して更新し（ステップｓ34）、ステップｓ33において入力されていないと判断した場合及びステップｓ34に続いて、マーケットＨＰアドレスと商品名とを入力する画面11（図２１の（ｂ）参照）を表示させるデータを送信する（ステップｓ35）。これにより、携帯電話機112 ，113 の表示部1aに表示された画面11よりＨＰ開設者12，13が変更するマーケットＨＰアドレス及び／又は商品名を入力、或いは、変更する該当項目無しとして登録ボタンをクリックする。入力判定部22がクリック信号を受信すると、制御装置17の制御により、マーケットＨＰアドレスと商品名とのいずれかが入力されているか否かを判断し（ステップｓ36）、入力されていれば、制御装置17の制御により、前記ユーザ名からマーケットＨＰ提供者用データベース25に登録されているマーケットＨＰアドレス及び／又は商品名を検索して該マーケットＨＰアドレス及び／又は商品名を入力されたマーケットＨＰアドレス及び／又は商品名に訂正して更新し（ステップｓ37）、ステップｓ36において入力されていないと判断した場合及びステップｓ37に続いて、商品金額を入力する前記画面８を表示させるデータを送信する（ステップｓ38）。これにより、携帯電話機112 ，113 の表示部1aに表示された画面８よりＨＰ開設者12，13が変更する商品金額を入力、或いは、変更する該当項目無しとして登録ボタンをクリックする。入力判定部22がクリック信号を受信すると、制御装置17の制御により、商品金額が入力されているか否かを判断し（ステップｓ39）、入力されていれば、制御装置17の制御により、前記商品名からマーケットＨＰ提供者用データベース25に登録されている商品金額を検索して該商品金額を入力された商品金額に訂正して更新し（ステップｓ40）、ステップｓ39において入力されていないと判断した場合及びステップｓ40に続いて、マーケット情報の修正完了の画面12（図２１の（ｃ）参照）を表示させるデータを送信する（ステップｓ41）。これにより、携帯電話機112 ，113 の表示部1aに画面12が表示されてＯＫボタンがクリックされる。入力判定部22がクリック信号を受信すると、制御装置17の制御により、変更されたマーケット情報を記載したメールをＨＰ開設者12，13のメールアドレスへ送信して（ステップｓ42）、登録修正処理プログラムを終了してステップｓ１へ戻る。
【００３８】
前記ステップｓ26においてユーザ名データ及びＩＤデータが第二補助記憶部20のマーケットＨＰ提供者用データベース25に存在しない場合、及び、前記ステップｓ28においてユーザ名及びＩＤに対応した特定コードと照合して満足しない場合には、情報が正しくないことを知らせる画面を表示させて登録修正処理プログラムを中断してステップｓ１へジャンプする。
【００３９】
図９に示す前記ステップｓ５において、「マーケット情報削除」を選択した選択データであれば、制御装置17の制御により、マーケット登録処理プログラムの登録削除処理プログラムが起動する（ステップｓ43）。
【００４０】
登録削除処理プログラムでは、図１４に示すように、先ず、ユーザ名及びＩＤを入力する前記画面10を表示させるデータを送信する（ステップｓ44）。これにより、携帯電話機112 ，113 の表示部1aに表示された画面10よりユーザ名及びＩＤを入力して登録ボタンをクリックする。携帯電話機112 ，113 から認証情報生成サーバ16へユーザ名データ及びＩＤデータが送信されて入力判定部22がユーザ名データ及びＩＤデータを受信すると、制御装置17の制御により、受信したユーザ名データ及びＩＤデータが第二補助記憶部20のマーケットＨＰ提供者用データベース25に存在するか否かを判断し（ステップｓ45）、存在していれば、特定コードが得られているか否かを判断し（ステップｓ46）、得られていれば、接続されている携帯電話機112 ，113 の特定コードとマーケットＨＰ提供者用データベース25に記録されているユーザ名及びＩＤに対応した特定コードとを照合し（ステップｓ47）、該ステップｓ47において満足していると判断した場合及びステップｓ46において特定コードが得られていないと判断した場合に続いて、ＨＰ開設者12，13のメールアドレスを入力する前記画面６を表示させるデータを送信する（ステップｓ48）。これにより、携帯電話機112 ，113 の表示部1aに表示された画面６よりＨＰ開設者12，13がメールアドレスを入力して登録ボタンをクリックする。携帯電話機112 ，113 から認証情報生成サーバ16へメールアドレスデータが送信されて入力判定部22がメールアドレスデータを受信すると、制御装置17の制御により、受信したメールアドレスデータは前記ユーザ名及びＩＤに対応して記録されているメールアドレスと同一か否かを判断し（ステップｓ49）、満足していれば、出力判定部23から携帯電話機112 ，113 に対して、データを削除するか否かの意思表示を入力する画面13（図２２の（ａ）参照）を表示させるデータを送信する（ステップｓ50）。これにより、携帯電話機112 ，113 の表示部1aに表示された画面13よりＨＰ開設者12，13が「YES 」又は「NO」のいずれかのボタンをクリックする。入力判定部22がクリック信号を受信すると、制御装置17の制御により、「YES 」か「NO」かを判断し（ステップｓ51）、マーケット情報を削除する意思表示（「YES 」）データであれば、マーケットＨＰ提供者用データベース25の該当マーケット情報データに削除するフラグを立てて（ステップｓ52）、出力判定部23から携帯電話機112 ，113 に対して、削除作業が完了したことを知らせる画面14（図２２の（ｂ）参照）を表示させるデータを送信して（ステップｓ53）、ステップｓ１へ戻る。
【００４１】
前記ステップｓ45においてユーザ名データ及びＩＤデータが第二補助記憶部20のマーケットＨＰ提供者用データベース25に存在しない場合、前記ステップｓ47において特定コードを満足しない場合、前記ステップｓ49においてメールアドレスが同一でない場合及び前記ステップｓ51においてマーケット情報を削除しない意思表示（「NO」）データである場合には、削除作業を中断したことを知らせる画面15（図２２の（ｃ）参照）を表示させるデータを送信して（ステップｓ54）、携帯電話機112 ，113 の表示部1aに画面15を表示させた後、ＨＰ開設者12，13が画面15より登録ボタンをクリックすることにより、登録削除処理プログラムを中断してステップｓ１へジャンプする。
【００４２】
なお、マーケット情報の削除は、全ての決済業務が終了した後に前記フラグに基づき実行されるようになっている。
【００４３】
また、ＨＰ開設者12，13がコンピュータ端末９にてマーケット登録を行う場合には、携帯電話機特有のステップを変更すれば、同様の処理により実行することができる。
【００４４】
前述した通り、ＨＰ開設者12，13のマーケット情報が第二補助記憶部20のマーケットＨＰ提供者用データベース25に登録されることにより、有料情報等を購入する意思表示をした利用者６，14の固有の所要情報を入力させてマーケットページ番号を表示させるスクリプトへアクセスできるアドレスと前記ユーザ名とＩＤを記載したメールがＨＰ開設者12，13に送信されるが、ＨＰ開設者12，13はマーケットＨＰ提供者用データベース25に登録されているマーケットＨＰアドレスのＨＰ（マーケットＨＰ）に、例えば、＜A herf＝スクリプトへアクセスできるアドレス＞購入を希望する場合はここをクリック＜/A＞、等を記載して認証情報生成サーバ16にリンクさせて利用者６，14がＨＰ開設者12，13のマーケットＨＰの有料情報等を購入する意思表示をするためのボタン画面16（図２３の（ａ）参照）を表示させる。そして、利用者６，14がコンピュータ端末９のディスプレイ又は携帯電話機106 ，114 の表示部1aに表示された前記ボタン画面16をクリックすることにより、利用者６，14のコンピュータ端末９又は携帯電話機106 ，114 が認証情報管理者15の認証情報生成サーバ16に接続され、コンピュータ端末９により接続された場合には第一認証希望登録処理プログラムが、また、携帯電話機106 ，114 により接続された場合には第二認証希望登録処理プログラムが起動してコンピュータ端末９のディスプレイ又は携帯電話機106 ，114 の表示部1aに利用者６，14の固有の所要情報を入力する画面17（図２３の（ｂ）参照）が表示されると共に、当該固有の所要情報が入力されれば、購入する意思表示をしている有料情報等の代金に対応した意思表示情報を知らせる画面18（図２３の（ｃ））が表示されることとなる。
【００４５】
次に、利用者６，14がマーケットＨＰの有料情報等を購入可能になる手続きについて説明する。
【００４６】
先ず、利用者14がコンピュータ端末９からインターネット網７を経由してＨＰ開設者12，13のマーケットＨＰに接続することにより起動する第一認証希望登録処理プログラムについて説明する。
【００４７】
コンピュータ端末９のディスプレイに表示された、商品名及び商品金額が記載されたマーケットＨＰの前記ボタン画面16のリンクボタンをクリックすれば、利用者14のコンピュータ端末９が認証情報管理者15の認証情報生成サーバ16に接続され、第一認証希望登録処理プログラムが起動する。
【００４８】
第一認証希望登録処理プログラムでは、図１５に示すように、先ず、接続により認証情報生成サーバ16の入力判定部22が受信した環境変数からマーケットＨＰアドレスが第二補助記憶部20のマーケットＨＰ提供者用データベース25に登録されているマーケットＨＰアドレスであるか否かを判断し（ステップｓ55）、登録済のマーケットＨＰアドレスであれば、制御装置17で現在の日時を演算してプログラム記憶部18の現在日時データメモリm4へ一時格納し（ステップｓ56）、決済に必要な利用者固有の所要情報（例えば、「氏名」、「住所」、携帯電話番号」、「性別」及び「生年月日」等）を入力する前記画面17を表示させるデータをコンピュータ端末９に送信する（ステップｓ57）。これにより、コンピュータ端末９のディスプレイに表示された画面17より利用者14が決済に必要な利用者固有の所要情報を入力して登録ボタンをクリックすれば、コンピュータ端末９が認証情報生成サーバ16に接続されて制御装置17の制御により、当該所要情報が全て入力されているか否かを判断して（ステップｓ58）、全て入力されていれば、利用者14の所要情報が第一補助記憶部19の認証希望者用データベース24に既に登録されているか否かを判断し（ステップｓ59）、新規の登録であれば、当該所要情報データを認証希望者用データベース24に記録し（ステップｓ60）、合わせて所要情報に対応した利用者固有の登録番号を付与して認証希望者用データベース24に記録し（ステップｓ61）、環境変数より取得した前記マーケットＨＰアドレスデータからマーケットＨＰ提供者用データベース25に記録されている商品金額データと該商品金額の登録番号データとを検索して該登録番号データをプログラム記憶部18の登録番号データメモリm2へ、また、商品金額データを商品金額データメモリm3へ一時格納する（ステップｓ62）。続いて、図７に示すように、登録番号データメモリm2の登録番号データと現在日時データメモリm4の現在日時データと認証希望者用データベース24の前記利用者登録番号データとを制御装置17にて連結してＨＰ開設者12，13の提供する商品名の商品金額と該商品名を購入する意思表示をした利用者14とを特定する利用前のマーケットページ番号データを生成して認証希望者用データベース24に記録し（ステップｓ63）、さらに、当該利用前のマーケットページ番号データをプログラム記憶部18のページ番号データメモリm5へ一時格納する（ステップｓ64）。続いて、制御装置17の制御により、前記マーケットページ番号を知らせる前記画面18を表示させるデータをコンピュータ端末９に送信する（ステップｓ65）。これにより、コンピュータ端末９のディスプレイには画面18が表示されて認証番号入力待ちの状態で第一認証希望登録処理プログラムが終了する。
【００４９】
前記ステップｓ55において、マーケットＨＰアドレスがマーケットＨＰ提供者用データベース25に登録されていなければ、図２４に示す利用不可を知らせる画面19を表示させるデータをコンピュータ端末９に送信し（ステップｓ66）、処理を中断して（ステップｓ67）、プログラムが終了する。また、前記ステップｓ59において、利用者14の所要情報が第一補助記憶部19の認証希望者用データベース24に既に登録されていれば、該利用者14の所要情報データと商品金額データとから未処理状態の利用前マーケットページ番号データがページ番号データメモリm5に残っているか否かを判断し（ステップｓ68）、残っていなければステップｓ62へジャンプし、残っていればステップｓ65へジャンプする。
【００５０】
前記画面18が表示された状態において、利用者14が携帯電話機114 で認証情報生成サーバ16に接続して前記画面２より「認証番号希望」を選択し、後述する認証情報付与処理プログラムにより認証番号を得て、前記画面18より該認証番号を入力して登録ボタンをクリックすれば、利用者14のコンピュータ端末９が認証情報管理者15の認証情報生成サーバ16に接続されて前記ステップｓ65に続く認証処理プログラムが起動する。
【００５１】
認証処理プログラムでは、図１６に示すように、制御装置17の制御により、前記画面18より入力された認証番号がプログラム記憶部18のページ番号データメモリm5に一時格納されている利用前マーケットページ番号データに対応しているか否かを判断し（ステップｓ69）、認証番号が正しいデータであれば、ページ番号データメモリm5の利用前マーケットページ番号データを利用後マーケットページ番号として前記認証番号データに対応させて認証希望者用データベース24に記録した後（ステップｓ70）、プログラム記憶部18に格納されている登録番号データ、商品金額データ、現在日時データ及び利用前マーケットページ番号データを削除すると共に、取引の対象となった商品名データ及び商品金額データ等の決済実績データを該商品名を提供するＨＰ開設者データに関連付けてマーケットＨＰ提供者用データベース25に記録して（ステップｓ71）、認証処理プログラム処理が終了する。
【００５２】
前記ステップｓ69において、入力された認証番号がページ番号データメモリm5の利用前マーケットページ番号に対応していなければ、図２５に示す処理が中止されたことを知らせる画面20を表示させるデータをコンピュータ端末９に送信し（ステップｓ72）、処理を中断して（ステップｓ73）、プログラムが終了する。
【００５３】
次に、利用者６，14が携帯電話機106 ，114 からインターネット網７を経由してＨＰ開設者12，13のマーケットＨＰに接続することにより起動する第二認証希望登録処理プログラムについて説明する。
【００５４】
携帯電話機106 ，114 の表示部1aに表示されたマーケットＨＰのボタン画面16のリンクボタンをクリックすれば、利用者６，14の携帯電話機106 ，114 が認証情報管理者15の認証情報生成サーバ16に接続され、第二認証希望登録処理プログラムが起動する。
【００５５】
第二認証希望登録処理プログラムでは、図１７に示すように、先ず、前記ステップｓ55と同様にマーケットＨＰアドレスが第二補助記憶部20のマーケットＨＰ提供者用データベース25に登録されているマーケットＨＰアドレスであるか否かを判断し（ステップｓ74）、前記ステップｓ56と同様に現在の日時を演算してプログラム記憶部18の現在日時データメモリm4へ一時格納し（ステップｓ75）、前記ステップｓ57と同様に画面17を表示させるデータを携帯電話機106 ，114 に送信し（ステップｓ76）、前記ステップｓ58と同様に利用者固有の所要情報が全て入力されれば（ステップｓ77）、前記ステップｓ59と同様に利用者６，14の所要情報が第一補助記憶部19の認証希望者用データベース24に既に登録されているか否かを判断し（ステップｓ78）、前記ステップｓ60，ｓ61と同様に所要情報データと利用者固有の登録番号データとを認証希望者用データベース24に記録し（ステップｓ79，ｓ80）、前記ステップｓ62と同様に商品金額の登録番号データを登録番号データメモリm2へ、商品金額データを商品金額データメモリm3へ一時格納し（ステップｓ81）、前記ステップｓ63と同様に利用前のマーケットページ番号データを生成して認証希望者用データベース24に記録し（ステップｓ82）、前記ステップｓ64と同様に利用前のマーケットページ番号データをページ番号データメモリm5へ一時格納し（ステップｓ83）、マーケットページ番号データを知らせる画面21（図２６参照）を表示させるデータを携帯電話機106 ，114 に送信し（ステップｓ84）、これにより、携帯電話機106 ，114 の表示部1aには画面21が表示された状態で第二認証希望登録処理プログラムが終了する。
【００５６】
なお、前記ステップｓ74において、マーケットＨＰアドレスがマーケットＨＰ提供者用データベース25に登録されていなければ、前記ステップｓ66，ｓ67と同様のステップｓ85，ｓ86を経てプログラムが終了し、前記ステップｓ78において、利用者14の所要情報が第一補助記憶部19の認証希望者用データベース24に既に登録されていれば、前記ステップｓ68と同様のステップｓ87を経て、ステップｓ81或いはステップｓ84へジャンプする。
【００５７】
次に、認証情報付与処理プログラムについて説明する。
【００５８】
利用者６，14が携帯電話機106 ，114 に登録されている認証情報管理者15の認証情報生成サーバ16に接続するためのウインドウから、或いは、インターネット網７を経由して認証情報管理者15の認証情報生成サーバ16に接続し、前記画面２より「認証番号希望」を選択した場合、又は、利用者６，14が前記ステップｓ84により携帯電話機106 ，114 の表示部1aに表示されている画面21より確認ボタンをクリックした場合には、携帯電話機106 ，114 が認証情報生成サーバ16に接続されて認証情報付与処理プログラムが起動する。
【００５９】
認証情報付与処理プログラムでは、図１８に示すように、先ず、通知した前記マーケットページ番号を入力する画面22（図２７の（ａ）参照）を表示させるデータを送信する（ステップｓ88）。これにより、携帯電話機106 ，114 の表示部1aに表示された画面22より利用者６，14が前記マーケットページ番号を入力して登録ボタンをクリックする。登録ボタンをクリックすることにより携帯電話機106 ，114 が認証情報生成サーバ16に接続され、制御装置17の制御により、入力されたマーケットページ番号データがプログラム記憶部18のページ番号データメモリm5に格納されているか否かを判断し（ステップｓ89）、ページ番号データメモリm5に格納されていれば、続いて、商品金額を入力する画面23（図２７の（ｂ）参照）を表示させるデータを送信する（ステップｓ90）。これにより、携帯電話機106 ，114 の表示部1aに表示された画面23より利用者６，14が商品金額を入力して登録ボタンをクリックする。登録ボタンをクリックすることにより携帯電話機106 ，114 が認証情報生成サーバ16に接続され、制御装置17の制御により、入力された商品金額が前記ページ番号データメモリm5に対応した商品金額データメモリm3に格納されている商品金額データを満足するか否かを判断し（ステップｓ91）、正しい情報であれば、第三補助記憶部21の課金対象ＨＰアドレス用データベース26から前記商品金額に対応した額の課金する契約をしている利用料金のＨＰアドレスが抽出できるか否かを判断し（ステップｓ92）、抽出できた場合には、電話会社２へアクセスして抽出した課金対象のＨＰアドレスを通知すると共に、携帯電話機106 ，114 の特定コードを取得していれば該特定コードを合わせて通知し（ステップｓ93）、携帯電話機106 ，114 の接続を認証情報管理者15の認証情報生成サーバ16から電話会社２へ切り換えることにより、商品金額と同額の利用料金を課金するように促す。
【００６０】
これにより、従来と同様に、携帯電話機106 ，114 の表示部1aには該携帯電話機106 ，114 の暗証番号を入力する画面24（図２７の（ｃ）参照）が表示されて、利用者６，14が前記画面24より入力した暗証番号と送信されてきた課金対象のＨＰアドレスとにより前記暗証番号を有する携帯電話機106 ，114 を所有する利用者６，14の電話使用料に前記課金対象のＨＰアドレスに対応した利用料金を課金した後、認証情報管理者15の認証情報生成サーバ16へ携帯電話機106 ，114 の特定コード或いは該特定コードに代わる識別コードと課金対象のＨＰアドレスとを通知して制御を認証情報管理者15の認証情報生成サーバ16へ戻す。
【００６１】
なお、携帯電話機106 ，114 に該携帯電話機106 ，114 の暗証番号を入力する前記画面24を表示させるデータを送信した後（ステップｓ94）、携帯電話機106 ，114 の接続を認証情報管理者15の認証情報生成サーバ16から電話会社２へ切り換えるようになっていてもよい。また、前記ステップｓ90において入力された商品金額によってマーケットＨＰに表示されている金額とマーケットＨＰ提供者用データベース25に記録されている商品金額とが同一であるか否かを確認することができるから、利用者６，14にとって購入に要した商品金額と同額の利用料金が電話使用料に課金されるので、トラブルの発生を防ぐことができる。
【００６２】
電話会社２から送信された前記特定コード或いは該特定コードに代わる識別コードと課金対象のＨＰアドレスのデータとを認証情報生成サーバ16の入力判定部22が受信すると、制御装置17の制御により、課金された日、ＨＰアドレス、商品名、商品金額及びマーケットページ番号等の決済実績に必要なデータを利用者６，14のデータに対応させて認証希望者用データベース24に記録する（ステップｓ95）。続いて、制御装置17にて前記決済実績データに対応する、前記マーケットページ番号に関連付けた固有の認証番号（例えば、商品金額と、課金されることにより付与される連続番号とからなる番号等）データを生成する（ステップｓ96）。そして、携帯電話機106 ，114 に前記課金対象のＨＰアドレスに対応した利用料金毎のＨＰに前記認証番号データを張り付けてなる図２８に示す認証番号を知らせるボタン画面25を表示させるデータを送信する（ステップｓ97）。
【００６３】
そして、前記画面２の「認証番号希望」が選択されて認証情報付与処理プログラムが起動した場合には、プログラムを終了してステップｓ１へ戻る。従って、コンピュータ端末９のディスプレイに表示されている前記画面18より利用者14が認証番号を入力して登録ボタンをクリックすれば、前記認証処理プログラムが起動する。
【００６４】
また、前記画面21の確認ボタンをクリックすることにより認証情報付与処理プログラムが起動した場合には、利用者６，14が携帯電話機106 ，114 の表示部1aに表示されたボタン画面25をクリックすれば、前記ステップｓ97に続いて、携帯電話機106 ，114 に前記画面18を表示させるデータを送信して（ステップｓ98）、認証情報付与処理プログラムを終了し、続いて、前記前記認証処理プログラムが起動する。
【００６５】
なお、ステップｓ97の後、ステップｓ98を処理するための、前記画面２の「認証番号希望」が選択されたことにより認証情報付与処理プログラムが起動したのか或いは前記画面21の確認ボタンのクリックにより認証情報付与処理プログラムが起動したのかの判断は図１８において省略されている。
【００６６】
前記決済実行プログラムにおいて、利用者６，14が携帯電話機106 ，114 にボタン画面16を表示させてクリックした場合に、利用者14におけるコンピュータ端末９のディスプレイにボタン画面16が表示されている場合と同様に第一認証希望登録処理プログラムが起動するようになっていてもよい。
【００６７】
次に、仮想店舗ＨＰをマーケットＨＰ提供者用データベース25に登録しているＨＰ開設者13の該仮想店舗ＨＰに利用者６がアクセスして有料情報等を購入する場合の一具体例について説明する。
【００６８】
利用者６がインターネット網７を経由してＨＰ開設者13の該仮想店舗ＨＰにアクセスすれば、図３０の（ａ）に示すように、携帯電話機106 の表示部1aに「サイフ」コーナのＨＰ画面27が表示される。
【００６９】
利用者６が画面27にある2000円をクリックすれば、2000円のサイフを知らせる画面28が携帯電話機106 の表示部1aに表示される。当該画面28には、認証情報管理者15の認証情報作成サーバ16にリンクした前記ボタン画面16が張り付けられており、利用者６が当該2000円のサイフを購入することを決め、ボタン画面16のリンクボタンをクリックすれば、携帯電話機106 が認証情報作成サーバ16に接続されて前記第二認証希望登録処理プログラムが起動し、携帯電話機106 の表示部1aに前記画面17が表示される（ステップｓ74〜ｓ76）。
【００７０】
利用者６が画面17より「名前」，「住所」，「携帯電話番号」，「性別」及び「生年月日」を入力して登録ボタンをクリックすれば、これらの利用者６の固有所要情報が認証希望者用データベース24に記録され（ステップｓ77〜ｓ81）、登録番号データメモリm2の登録番号データ「xxxxxx」と前記利用者登録番号データ「zzzzzz」と現在日時データメモリm4の現在日時データ「oo-dd-hh-mm-ss（月−日−時−分−秒）」とを連結してマーケットページ番号データが生成されて携帯電話機106 の表示部1aに前記画面21が表示される（ステップｓ82〜ｓ84）。
【００７１】
利用者６が画面21より確認ボタンをクリックすれば、携帯電話機106 が認証情報作成サーバ16に接続されて前記認証情報付与処理プログラムが起動し、携帯電話機106 の表示部1aに前記画面22が表示される（ステップｓ88）。利用者６が画面22よりマーケットページ番号「xxxxxxzzzzzzooddhhmmss」を入力して登録ボタンをクリックすれば、携帯電話機106 が認証情報作成サーバ16に接続されて携帯電話機106 の表示部1aに前記画面23が表示される（ステップｓ89，ｓ90）。利用者６が画面23より商品金額「2000」を入力して登録ボタンをクリックすれば、携帯電話機106 が認証情報作成サーバ16に接続されて携帯電話機106 の表示部1aに前記画面24が表示される（ステップｓ91〜ｓ93）。
【００７２】
利用者６が画面24より携帯電話機106 の暗証番号「****」を入力して登録ボタンをクリックすれば、携帯電話機106 が電話会社２に接続されて利用者６の電話使用料に代金2000円と同額の利用料金2000円が課金され、認証情報管理者15との間で課金契約している2000円のＨＰアドレス「getdbzzz.htm」を利用したことが記録された後、携帯電話機106 の接続が電話会社２から認証情報作成サーバ16に返される。
【００７３】
これにより、認証番号「2000aaaaaa」が生成されて該「2000aaaaaa」が張り付けられたボタン画面25が携帯電話機106 の表示部1aに表示される（ステップｓ94〜ｓ97）。
【００７４】
利用者６が画面25より確認ボタンをクリックすれば、携帯電話機106 が認証情報作成サーバ16に接続されて携帯電話機106 の表示部1aに前記画面18が表示される（ステップｓ98）。
【００７５】
続いて、前記認証処理プログラムが起動し、利用者６が画面18より認証番号「2000aaaaaa」を入力して登録ボタンをクリックすれば、携帯電話機106 が認証情報作成サーバ16に接続されて利用者６と仮想店舗管理者13との間で商取引が成立する（ステップｓ69〜ｓ71）。
【００７６】
前述した通り、利用者６，14がマーケットＨＰにてリンクボタン画面16をクリックすれば、マーケットページ番号を表示した認証番号を入力する画面18が表示される。利用者６，14が認証番号を取得するために、携帯電話機106 ，114 にて認証情報作成サーバ16に接続すれば、携帯電話機106 ，114 が電話会社２に接続されて利用者６，14の電話使用料に商品金額と同額の利用料金が課金された後、携帯電話機106 ，114 が再び認証情報作成サーバ16に接続され、携帯電話機106 ，114 に認証番号を知らせる画面25が表示される。利用者６，14が前記画面18に認証番号を入力すれば、利用者６，14とＨＰ開設者12，13との間で商取引が成立して、利用者６，14は商品を得ることができる。また、電話会社２から認証情報管理者15に利用料金が支払われ、ＨＰ開設者12，13は手数料が差し引かれた商品金額を認証情報管理者15から受け取ることができる。従って、認証情報管理者15には手数料が残る。なお、利用料金と同額の金額を支払って、別途契約により一括して手数料を徴収するようにしてもよい。
【００７７】
本実施の形態では、ＨＰ作成言語で作成された、認証番号を張りつける前の同一画面25が各利用料金のＨＰアドレスに対応してＨＰアドレス用データベース26に記録されている。また、マーケットＨＰ提供者用データベース25において、マーケットＨＰアドレスと商品名とは関連付けられており、商品名と該商品名の商品金額とは関連付けられており、商品金額毎に登録番号が付与されて該商品金額に関連付けられている。また、マーケットＨＰアドレスとＨＰ開設者12，13の所要情報とは関連付けられており、当該所要情報とメールアドレス及びユーザ名・ＩＤが関連付けられている。
【００７８】
また、携帯電話機１以外の他の携帯電話機を所有する利用者が該他の携帯電話機にて有料情報等を購入する意思表示をすれば、該他の携帯電話機の電話会社との間で課金する契約をしている利用料金とＨＰアドレスとを構築したＨＰアドレス用データベース26を検索することとなる。
【００７９】
なお、商品名と商品金額とを特定するための登録番号が付与されているので、異なる商品名において同じ商品金額が存在している場合には、前記商品名を特定することができるが、商品名と該商品名の商品金額と利用者の登録番号とに基づき固有のページ番号を生成すれば、前記登録番号を付与しなくてもよい。
【００８０】
また、ＨＰ開設者12，13の所要情報はＨＰ開設者12，13を特定できれば、「運営者の名前」、「住所」、「携帯電話番号」、「振込先銀行名」及び「口座番号」の内、いずれか複数の情報であってもよく、その外、ＨＰ開設者12，13を特定できる他の情報であってもよい。例えば、予めＨＰ開設者12，13を特定できる情報を書面等にて取得している場合は、所要情報はＨＰ開設者12，13に付与された識別番号であってもよい。また、利用者６，14の所要情報は「氏名」、「住所」、「携帯電話番号」、「性別」及び「生年月日」の内、利用者６，14を特定できる情報であればよく、例えば、「携帯電話番号」であってもよい。予め利用者６，14を特定できる情報を書面等にて取得している場合は、所要情報は利用者６，14に付与された識別番号であってもよい。
【００８１】
また、有料情報等の代金を特定する固有の登録番号及び利用者固有の登録番号はそれぞれに特徴付けられた連続番号（例えば、item11111 及びuser11111 ）にすればよい。
【００８２】
また、意思表示情報は、ＨＰ開設者12，13を特定できる有料情報等の代金と該有料情報等を購入する意思表示をした利用者６，14とを特定できる情報であればよく、これらに基づき関連付けられた固有の意思表示情報番号であってもよい。
【００８３】
さらに、認証情報は、電話会社にて課金されていることを示す番号であればよい。
【００８４】
本実施の形態における決済方法では、決済管理サーバ16に有料情報等のＨＰ開設者12，13を特定するメールアドレスと振込銀行名と口座番号とを含む固有の情報と有料情報等と有料情報等の代金と有料情報等が提供されているホームページアドレスとの各情報を記憶する第二補助記憶部20と、有料情報等を購入する意思表示をした利用者６，14を特定する住所と氏名とを含む固有の情報を記憶する第一補助記憶部19と、第二補助記憶部20に記憶されたＨＰ開設者12，13を特定する固有の情報と有料情報等と有料情報等の代金と第一補助記憶部19に記憶された利用者６，14を特定する固有の情報とに対応した前記意思表示を特定する意思表示情報を生成する制御装置17と、制御装置17により生成された意思表示情報を記憶する前記第一補助記憶部19とを備え、第二補助記憶部20への登録要求に対してＨＰ開設者12，13の前記各情報の入力を促し、該各情報を受信することにより該各情報を第二補助記憶部20へ記憶させて前記メールアドレスに対して前記意思表示情報を表示させる前記決済管理サーバ16のアドレスを送信し、有料情報等を購入する意思表示データを受信することにより利用者６，14を特定する前記固有の情報の入力を促して該固有の情報を受信することにより該固有の情報を第一補助記憶部19に記憶させ、制御装置17にて前記意思表示情報を生成して第一補助記憶部19に該意思表示情報を記憶させ、前記利用者６，14に対して該意思表示情報を送信するようにしたので、該意思表示情報により有料情報等を購入する意思表示をした利用者６，14を特定することができる。
【００８５】
また、本実施の形態における決済方法では、利用者14がインターネット網７上に開設されたＨＰ開設者12，13のＨＰに接続してコンピュータ端末９のディスプレイにマーケットＨＰを表示させ、該マーケットＨＰのボタン画面16がクリックされて、或いは、利用者６，14が電話回線網３を介してインターネット網７上に開設されたＨＰ開設者12，13のＨＰに接続して携帯電話機106 ，114 の表示部1aにマーケットＨＰを表示させ、該マーケットＨＰのボタン画面16がクリックされて、該クリック信号を認証情報管理者15の認証情報生成サーバ16が受信すれば、該クリック信号を有料情報等を購入する意思表示として該意思表示を特定する意思表示情報を生成して、コンピュータ端末９のディスプレイ、或いは、携帯電話機106 ，114 の表示部1aに当該意思表示情報を知らせる画面18又は画面21を表示させ、携帯電話機106 ，114 から認証情報生成サーバ16に接続されて前記意思表示情報が得られれば、携帯電話機１で利用できる電話回線網３を所有する電話会社２との間で締結している電話使用料に課金する契約における前記代金と同額の利用料金に基づく前記有料情報等を購入できる認証情報を生成して携帯電話機106 ，114 の表示部1aに該認証情報を知らせる画面25を表示させ、利用者６，14がコンピュータ端末９のディスプレイ、或いは、携帯電話機106 ，114 の表示部1aに表示されている画面18に認証情報を入力して送信することにより、認証情報生成サーバ16が当該認証情報を受信すれば、前記電話会社２に代わって前記代金と同額の利用料金から手数料を差し引いた額を前記有料情報等のＨＰ開設者12，13に支払うようにしたから、当該認証情報を介して利用者６，14とＨＰ開設者12，13との間で商取引を成立させることができ、ＨＰ開設者12，13は電話会社２との間で利用料金を電話使用料に課金する契約をしていなくても、電話会社２から認証情報管理者15へ支払われた前記利用料金から手数料を差し引いた額を代金として認証情報管理者15から受け取ることができる。
【００８６】
さらに、認証情報管理者15が電話会社２に加えて電話回線網３以外の電話回線網を所有する電話会社との間で利用料金を電話使用料に課金する契約をすることにより、ＨＰ開設者12，13は異なる携帯電話機を所有する利用者に対して同様に有料情報等を提供することができる。
【００８７】
また、本実施の形態における決済方法では、ＨＰ開設者12，13のコンピュータ端末９、或いは、携帯電話機112 ，113 に画面４，画面５，画面７，画面８を表示させてＨＰ開設者12，13に対して該ＨＰ開設者12，13を特定する固有の所要情報と有料情報等のマーケットＨＰアドレスと有料情報等の代金との入力を促すステップ（ステップｓ７〜ｓ18）と、有料情報等を購入する意思表示をした利用者６，14のコンピュータ端末９、或いは、携帯電話機106 ，114 に画面17を表示させて利用者６，14に対して該利用者６，14を特定する固有の所要情報の入力を促すステップ（ステップｓ57，ｓ76）と、利用者６，14が購入する意思表示をした有料情報等の代金と利用者６，14の所要情報とに基づき意思表示を特定する意思表示情報を生成するステップ（ステップｓ63，ｓ82）と、前記意思表示をした利用者６，14に対して当該意思表示情報を表示（画面18又は画面21）するステップ（ステップｓ65，ｓ84）と、前記意思表示をした利用者６，14の所有する携帯電話機106 ，114 から接続された場合に携帯電話機106 ，114 に画面22を表示させて前記意思表示情報の入力を促すステップ（ステップｓ88）と、前記意思表示情報が得られた場合に当該携帯電話機１で利用できる電話回線網３を所有する電話会社２に対して前記代金と同額の利用料金を課金するよう促すステップ（ステップｓ93）と、前記意思表示をした利用者６，14に対して課金された利用料金に基づく前記有料情報等を購入できる認証情報を表示する（画面25）ステップ（ステップｓ97）とを備えているから、前記意思表示情報により有料情報等の代金と該有料情報等を購入する意思表示をした利用者６，14とを特定することができ、前記認証情報を介して利用者６，14とＨＰ開設者12，13との間で商取引を成立させることができるので、電話会社２から受け取った利用料金から手数料を差し引いた額を代金として有料情報等を提供するＨＰ開設者12，13に支払うことができる。また、他の電話会社との間で利用料金を電話使用料に課金する契約を締結することにより、ＨＰ開設者12，13においては、異なる携帯電話機を所有する利用者に対して有料情報等を提供することができる。
【００８８】
また、本実施の形態における決済方法では、有料情報等のＨＰ開設者12，13を特定する固有の所要情報と該有料情報等のマーケットＨＰアドレスと該有料情報等の代金とを第二補助記憶部20に記憶し、有料情報等を購入する意思表示をした利用者６，14を特定する固有の所要情報を第一補助記憶部19に記憶し、当該利用者６，14を特定する固有の所要情報と当該有料情報等の代金とに基づき意思表示を特定する意思表示情報を制御装置17にて生成して第一補助記憶部19とプログラム記憶部18とに記憶し、前記意思表示をした利用者６，14が所有する携帯電話機106 ，114 からの接続により前記意思表示情報を受信した場合に該携帯電話機１で利用できる電話回線網３を所有する電話会社２にて課金された前記代金と同額の利用料金に基づく前記有料情報等を購入できる認証情報を制御装置17にて生成して第一補助記憶部19に記憶し、当該認証情報を受信した場合に前記利用料金から手数料を差し引いた額を代金として前記有料情報等のＨＰ開設者12，13に支払うようにしたから、当該認証情報を介して利用者６，14とＨＰ開設者12，13との間で商取引を成立させることができ、ＨＰ開設者12，13は電話会社２との間で利用料金を電話使用料に課金する契約をしていなくても、電話会社２から認証情報管理者15へ支払われた前記利用料金から手数料を差し引いた額を代金として認証情報管理者15から受け取ることができる。
【００８９】
さらに、認証情報管理者15が電話会社２に加えて電話回線網３以外の電話回線網を所有する電話会社との間で利用料金を電話使用料に課金する契約をすることにより、ＨＰ開設者12，13は異なる携帯電話機を所有する利用者に対して同様に有料情報等を提供することができる。
【００９０】
また、本実施の形態における決済システムでは、有料情報等のＨＰ開設者12，13を特定する固有の所要情報と該有料情報等のマーケットＨＰアドレスと該有料情報等の代金とを記憶する第二補助記憶部20と、有料情報等を購入する意思表示をした利用者６，14を特定する固有の所要情報を記憶する第一補助記憶部19と、前記第二補助記憶部20に記憶された代金と前記第一補助記憶部19に記憶された利用者６，14を特定する固有の所要情報とに基づき前記意思表示を特定する意思表示情報を生成する制御装置17と、制御装置17により生成された前記意思表示情報を記憶するプログラム記憶部18のページ番号データメモリm5（又は前記第一補助記憶部19）と、利用者６，14が所有する携帯電話機106 ，114 からの接続によって受信した意思表示情報がページ番号データメモリm5（又は前記第一補助記憶部19）に記憶されている前記代金を満足した場合に該携帯電話機１で利用できる電話回線網３を所有する電話会社２との間で電話使用料に課金する契約における前記代金と同額の利用料金に基づく前記有料情報を購入できる認証情報を生成する前記制御装置17とを備えているから、当該認証情報を介して利用者６，14とＨＰ開設者12，13との間で商取引を成立させれば、利用料金が電話使用料に課金された利用者６，14と該利用者６，14が購入する有料情報等とが特定されて、前記利用料金から手数料を差し引いた額を前記有料情報等のＨＰ開設者12，13に支払うことができる。また、前記決済方法と同様の効果を奏することができる。
【００９１】
さらに、本実施の形態における決済管理サーバでは、有料情報等のＨＰ開設者12，13を特定する固有の所要情報データと該有料情報等のマーケットＨＰアドレスデータと該有料情報等の代金データとを含んで構成されているマーケットＨＰ提供者用データベース25と、有料情報等を購入する意思表示をした利用者６，14を特定する固有の所要情報データを含んで構成されている認証希望者用データベース24と、携帯電話機１で利用できる電話回線網３を所有する電話会社２との間で電話使用料に課金する契約をしている利用料金データと該利用料金に対応したＨＰアドレスデータとを含んで構成されているＨＰアドレス用データベース26とが構築されており、前記有料情報等を購入する意思表示データを受信することにより、認証希望者用データベース24に記録されている当該意思表示した利用者６，14を特定する固有の所要情報データとマーケットＨＰ提供者用データベース25に記録されている前記有料情報等の代金データとに基づき前記意思表示を特定する意思表示情報データを生成して前記利用者６，14を特定する固有の所要情報データに関連付けて前記認証希望者用データベース24に記録し、前記意思表示情報データを前記携帯電話機１から受信することにより、当該意思表示情報データに対応する代金データに基づきＨＰアドレス用データベース26に記録されている同額の利用料金データを検索して該利用料金データと該利用料金のＨＰアドレスデータとを前記電話会社２へ送信し、当該電話会社２からの応答により該利用料金に基づく前記有料情報を購入できる認証情報データを生成して前記利用者６，14を特定する固有の所要情報データに関連付けて前記認証希望者用データベース24に記録しているから、前記効果に加えて、ＨＰ開設者12，13にとっては、利用者６，14の購入嗜好を把握することができ、利用料金累積額が所定金額を越えている利用者６，14に対しては注意を促すことができる。
【００９２】
なお、前記代金と同額の利用料金から手数料を差し引いた額を支払う方法には、利用料金と同額の代金が支払われて別途契約により一括して手数料を徴収する方法も含むものであることは言うまでもない。
【００９３】
実施の形態２．
【００９４】
本実施の形態は前記実施の形態１における携帯電話機１（106 ，112 ，113 ，114 ）に代えて家庭用電話機を使用する場合の決済方法であり、本実施の形態を図１〜図３０を参照して説明する。
【００９５】
図３２は本発明の一例を示す実施の形態に係る決済方法を採用したコンピュータネットワークのブロック図であり、図１〜図３１と同一符号は同一又は相当部分を示し、１は電話機であり、該電話機１はＷeb閲覧が可能な表示部1aと、文字や記号等を入力することができる入力部1bと、入力部1bより入力された文字列を確定したり、アイテムを選択したりする決定キー1cと、受話器1dとが設けられており、ブラウザを起動できる機能を備え、ＷＷＷサーバ上のＣＧＩプログラムの実行に対応してデータを送受信できる機能を備えており、利用者６，14及びＨＰ開設者12，13は電話会社２との間で該電話会社２が提供する通話サービスを利用する加入契約をしており、本実施の形態においては前記実施の形態１における特定コードが電話会社２による通話サービスを利用する加入契約をした利用者６，14及びＨＰ開設者12，13に付与された加入者固有の特定コードであり、入力判定部22は認証情報管理者15が利用料金を課金する契約をしている電話会社２が発行した特定コードであるか否かを判断し、当該指定の電話会社２における特定コードでなければ接続を拒否する機能を有している。従って、意思表示をした利用者６，14が所有する電話機106 ，114 からの接続であるか否かの判断は、意思表示をした利用者６，14が加入している電話会社２を介しての接続であるか否か、即ち、認証情報管理者15が利用料金を課金する契約をしている電話会社２を介しての接続であるか否かを判断している。
【００９６】
そして、前記実施の形態１の新規登録処理プログラムにおけるステップｓ12、登録修正処理プログラムにおけるステップｓ27及び登録削除処理プログラムにおけるステップｓ46が本実施の形態においては環境変数から特定コードが得られなければ接続を許可しないので必要ない外、本実施の形態においても図１〜図７と同様の構成となっており、図８〜図３０と同様の決済方法を採用している。
【００９７】
なお、前記実施の形態１の認証情報付与プログラムにおけるステップｓ93の後、従来と同様に、電話機106 ，114 の表示部1aには該電話機106 ，114 の暗証番号を入力する画面24（図２７の（ｃ）参照）が表示されて、利用者６，14が前記画面24より入力した暗証番号と送信されてきた課金対象のＨＰアドレスとにより前記暗証番号を有する電話機106 ，114 を所有する利用者６，14の電話使用料に前記課金対象のＨＰアドレスに対応した利用料金を課金した後、認証情報管理者15の認証情報生成サーバ16へ利用者６，14に付与された特定コード或いは該特定コードに代わる識別コードと課金対象のＨＰアドレスとを通知して制御を認証情報管理者15の認証情報生成サーバ16へ戻すが、当該暗証番号は電話会社２が前記課金のために利用者６，14に付与する暗証番号であってもよく、電話会社２が利用者６，14に発行するアカウントに対するパスワードであってもよい。
【００９８】
従って、本実施の形態における決済方法においても前記実施の形態１と同様に、利用者14がインターネット網７上に開設されたＨＰ開設者12，13のＨＰに接続してコンピュータ端末９のディスプレイにマーケットＨＰを表示させ、該マーケットＨＰのボタン画面16がクリックされて、或いは、利用者６，14が所有する電話機106 ，114 によりインターネット網７上に開設されたＨＰ開設者12，13のＨＰに接続して該電話機106 ，114 の表示部1aにマーケットＨＰを表示させ、該マーケットＨＰのボタン画面16がクリックされて、該クリック信号を認証情報管理者15の認証情報生成サーバ16が受信すれば、該クリック信号を有料情報等を購入する意思表示として該意思表示を特定する意思表示情報を生成して、コンピュータ端末９のディスプレイ、或いは、電話機106 ，114 の表示部1aに当該意思表示情報を知らせる画面18又は画面21を表示させ、電話機106 ，114 から認証情報生成サーバ16に接続されて前記意思表示情報が得られれば、利用者６，14が加入している電話会社２との間で締結している電話使用料に課金する契約における前記代金と同額の利用料金に基づく前記有料情報等を購入できる認証情報を生成して電話機106 ，114 の表示部1aに該認証情報を知らせる画面25を表示させ、利用者６，14がコンピュータ端末９のディスプレイ、或いは、電話機106 ，114 の表示部1aに表示されている画面18に認証情報を入力して送信することにより、認証情報生成サーバ16が当該認証情報を受信すれば、前記電話会社２に代わって前記代金と同額の利用料金から手数料を差し引いた額を前記有料情報等のＨＰ開設者12，13に支払うようにしたから、当該認証情報を介して利用者６，14とＨＰ開設者12，13との間で商取引を成立させることができ、ＨＰ開設者12，13は電話会社２との間で利用料金を電話使用料に課金する契約をしていなくても、電話会社２から認証情報管理者15へ支払われた前記利用料金から手数料を差し引いた額を代金として認証情報管理者15から受け取ることができる。
【００９９】
さらに、認証情報管理者15が電話会社２と異なる他の電話会社との間で利用料金を電話使用料に課金する契約をすることにより、ＨＰ開設者12，13は該他の電話会社に加入している利用者に対して同様に有料情報等を提供することができる。
【０１００】
また、本実施の形態における決済方法では、ＨＰ開設者12，13のコンピュータ端末９、或いは、電話機112 ，113 に画面４，画面５，画面７，画面８を表示させてＨＰ開設者12，13に対して該ＨＰ開設者12，13を特定する固有の所要情報と有料情報等のマーケットＨＰアドレスと有料情報等の代金との入力を促すステップ（ステップｓ７〜ｓ18）と、有料情報等を購入する意思表示をした利用者６，14のコンピュータ端末９、或いは、電話機106 ，114 に画面17を表示させて利用者６，14に対して該利用者６，14を特定する固有の所要情報の入力を促すステップ（ステップｓ57，ｓ76）と、利用者６，14が購入する意思表示をした有料情報等の代金と利用者６，14の所要情報とに基づき意思表示を特定する意思表示情報を生成するステップ（ステップｓ63，ｓ82）と、前記意思表示をした利用者６，14に対して当該意思表示情報を表示（画面18又は画面21）するステップ（ステップｓ65，ｓ84）と、前記意思表示をした利用者６，14の所有する電話機106 ，114 からの接続、即ち、認証情報管理者15が利用料金を課金する契約をしている電話会社２を介しての接続である場合に電話機106 ，114 に画面22を表示させて前記意思表示情報の入力を促すステップ（ステップｓ88）と、前記意思表示情報が得られた場合に利用者６，14が加入している電話会社２に対して前記代金と同額の利用料金を課金するよう促すステップ（ステップｓ93）と、前記意思表示をした利用者６，14に対して課金された利用料金に基づく前記有料情報等を購入できる認証情報を表示する（画面25）ステップ（ステップｓ97）とを備えているから、前記意思表示情報により有料情報等の代金と該有料情報等を購入する意思表示をした利用者６，14とを特定することができ、前記認証情報を介して利用者６，14とＨＰ開設者12，13との間で商取引を成立させることができるので、電話会社２から受け取った利用料金から手数料を差し引いた額を代金として有料情報等を提供するＨＰ開設者12，13に支払うことができる。また、他の電話会社との間で利用料金を電話使用料に課金する契約を締結することにより、ＨＰ開設者12，13においては、該他の電話会社に加入している利用者に対して有料情報等を提供することができる。
【０１０１】
また、本実施の形態における決済方法では、有料情報等のＨＰ開設者12，13を特定する固有の所要情報と該有料情報等のマーケットＨＰアドレスと該有料情報等の代金とを第二補助記憶部20に記憶し、有料情報等を購入する意思表示をした利用者６，14を特定する固有の所要情報を第一補助記憶部19に記憶し、当該利用者６，14を特定する固有の所要情報と当該有料情報等の代金とに基づき意思表示を特定する意思表示情報を制御装置17にて生成して第一補助記憶部19とプログラム記憶部18とに記憶し、前記意思表示をした利用者６，14が加入している電話会社２を介しての接続により前記意思表示情報を受信した場合に利用者６，14が加入している電話会社２にて課金された前記代金と同額の利用料金に基づく前記有料情報等を購入できる認証情報を制御装置17にて生成して第一補助記憶部19に記憶し、当該認証情報を受信した場合に前記利用料金から手数料を差し引いた額を代金として前記有料情報等のＨＰ開設者12，13に支払うようにしたから、当該認証情報を介して利用者６，14とＨＰ開設者12，13との間で商取引を成立させることができ、ＨＰ開設者12，13は電話会社２との間で利用料金を電話使用料に課金する契約をしていなくても、電話会社２から認証情報管理者15へ支払われた前記利用料金から手数料を差し引いた額を代金として認証情報管理者15から受け取ることができる。
【０１０２】
さらに、認証情報管理者15が電話会社２に加えて電話会社２と異なる他の電話会社との間で利用料金を電話使用料に課金する契約をすることにより、ＨＰ開設者12，13は該他の電話会社に加入している利用者に対して同様に有料情報等を提供することができる。
【０１０３】
また、本実施の形態における決済システムでは、有料情報等のＨＰ開設者12，13を特定する固有の所要情報と該有料情報等のマーケットＨＰアドレスと該有料情報等の代金とを記憶する第二補助記憶部20と、有料情報等を購入する意思表示をした利用者６，14を特定する固有の所要情報を記憶する第一補助記憶部19と、前記第二補助記憶部20に記憶された代金と前記第一補助記憶部19に記憶された利用者６，14を特定する固有の所要情報とに基づき前記意思表示を特定する意思表示情報を生成する制御装置17と、制御装置17により生成された前記意思表示情報を記憶するプログラム記憶部18のページ番号データメモリm5（又は前記第一補助記憶部19）と、利用者６，14が所有する電話機106 ，114 からの接続によって受信した意思表示情報がページ番号データメモリm5（又は前記第一補助記憶部19）に記憶されている前記代金を満足した場合に利用者６，14が加入している電話会社２との間で電話使用料に課金する契約における前記代金と同額の利用料金に基づく前記有料情報を購入できる認証情報を生成する前記制御装置17とを備えているから、当該認証情報を介して利用者６，14とＨＰ開設者12，13との間で商取引を成立させれば、利用料金が電話使用料に課金された利用者６，14と該利用者６，14が購入する有料情報等とが特定されて、前記利用料金から手数料を差し引いた額を前記有料情報等のＨＰ開設者12，13に支払うことができる。また、前記決済方法と同様の効果を奏することができる。
【０１０４】
さらに、本実施の形態における決済管理サーバでは、有料情報等のＨＰ開設者12，13を特定する固有の所要情報データと該有料情報等のマーケットＨＰアドレスデータと該有料情報等の代金データとを含んで構成されているマーケットＨＰ提供者用データベース25と、有料情報等を購入する意思表示をした利用者６，14を特定する固有の所要情報データを含んで構成されている認証希望者用データベース24と、認証情報管理者15が加入している電話会社２との間で電話使用料に課金する契約をしている利用料金データと該利用料金に対応したＨＰアドレスデータとを含んで構成されているＨＰアドレス用データベース26とが構築されており、前記有料情報等を購入する意思表示データを受信することにより、認証希望者用データベース24に記録されている当該意思表示した利用者６，14を特定する固有の所要情報データとマーケットＨＰ提供者用データベース25に記録されている前記有料情報等の代金データとに基づき前記意思表示を特定する意思表示情報データを生成して前記利用者６，14を特定する固有の所要情報データに関連付けて前記認証希望者用データベース24に記録し、前記意思表示情報データを電話機１から受信することにより、当該意思表示情報データに対応する代金データに基づきＨＰアドレス用データベース26に記録されている同額の利用料金データを検索して該利用料金データと該利用料金のＨＰアドレスデータとを前記電話会社２へ送信し、当該電話会社２からの応答により該利用料金に基づく前記有料情報を購入できる認証情報データを生成して前記利用者６，14を特定する固有の所要情報データに関連付けて前記認証希望者用データベース24に記録しているから、前記効果に加えて、ＨＰ開設者12，13にとっては、利用者６，14の購入嗜好を把握することができ、利用料金累積額が所定金額を越えている利用者６，14に対しては注意を促すことができる。
【０１０５】
【発明の効果】
本発明によれば、ホームページにて有料情報等を提供している情報提供者や仮想店舗管理者等が電話会社との間で利用料金を課金する契約をしなくても、有料情報等の代金を受け取ることができ、電話会社との間で利用料金を課金する契約をしている認証情報管理者は情報提供者や仮想店舗管理者等から手数料を受け取ることができる決済方法を提供することができ、該方法を採用する決済システム及び決済管理サーバを提供することができる。
【０１０６】
また、本発明に係る決済方法を採用すれば、携帯電話機又は電話機からの接続により有料情報等の利用者と情報提供者や仮想店舗管理者等との間での商取引を成立させる認証情報を発行しているから、利用料金は既に電話使用料に課金されており、情報提供者や仮想店舗管理者等に対して未払いの発生を防ぐことができる。さらに、情報提供者や仮想店舗管理者等は異なる電話会社の携帯電話機を所有する利用者又は異なる電話会社と通話サービスを利用する加入契約をしている利用者に対しても有料情報等を提供することができる。
【０１０７】
従って、本発明の産業上利用性は非常に高いといえる。
【図面の簡単な説明】
【図１】本発明の一例を示す実施の形態に係る決済方法を採用したコンピュータネットワークのブロック図である。
【図２】図１に示す認証情報生成サーバのハードウェア構成図である。
【図３】図２に示すプログラム記憶部のメモリ構成図である。
【図４】図２に示す第一補助記憶部に格納されている認証希望者用データベースのデータ構成図である。
【図５】図２に示す第二補助記憶部に格納されているマーケットＨＰ提供者用データベースのデータ構成図である。
【図６】図２に示す第三補助記憶部に格納されている課金対象ＨＰアドレス用データベースのデータ構成図である。
【図７】マーケットページ番号データを生成する方法を説明するブロック図である。
【図８】決済実行プログラムの一例を説明するフローチャート図である。
【図９】マーケット登録処理プログラムの一例を説明するフローチャート図である。
【図１０】新規登録処理プログラムの一例を説明するフローチャート図である。
【図１１】新規登録処理プログラムの一例を説明するフローチャート図である。
【図１２】登録修正処理プログラムの一例を説明するフローチャート図である。
【図１３】登録修正処理プログラムの一例を説明するフローチャート図である。
【図１４】登録削除処理プログラムの一例を説明するフローチャート図である。
【図１５】認証希望登録処理プログラムの一例を説明するフローチャート図である。
【図１６】認証処理プログラムの一例を説明するフローチャート図である。
【図１７】認証希望登録処理プログラムの一例を説明するフローチャート図である。
【図１８】認証情報付与処理プログラムの一例を説明するフローチャート図である。
【図１９】図８〜図１８に示すプログラムにおいて表示される画面の説明図である。
【図２０】図８〜図１８に示すプログラムにおいて表示される画面の説明図である。
【図２１】図８〜図１８に示すプログラムにおいて表示される画面の説明図である。
【図２２】図８〜図１８に示すプログラムにおいて表示される画面の説明図である。
【図２３】図８〜図１８に示すプログラムにおいて表示される画面の説明図である。
【図２４】図８〜図１８に示すプログラムにおいて表示される画面の説明図である。
【図２５】図８〜図１８に示すプログラムにおいて表示される画面の説明図である。
【図２６】図８〜図１８に示すプログラムにおいて表示される画面の説明図である。
【図２７】図８〜図１８に示すプログラムにおいて表示される画面の説明図である。
【図２８】図８〜図１８に示すプログラムにおいて表示される画面の説明図である。
【図２９】図８〜図１８に示すプログラムにおいて表示される画面の説明図である。
【図３０】決済方法の一例を説明する図である。
【図３１】携帯電話機を所有する利用者が利用できる現状のコンピュータネットワークを図示したブロック図である。
【図３２】本発明の一例を示す実施の形態に係る決済方法を採用したコンピュータネットワークのブロック図である。
【符号の説明】
１  携帯電話機（電話機）
２  電話会社
３  電話回線網
４  加入者データベース
５  課金対象用リンク管理サーバ
６，１４  利用者
７  インターネット網
８  情報提供者
９  コンピュータ端末
１０  仮想店舗管理者
１１  ＷＷＷサーバ
１２  情報提供者（ＨＰ開設者）
１３  仮想店舗管理者（ＨＰ開設者）
１５  認証情報管理者
１６  認証情報生成サーバ（決済管理サーバ）
１７  制御装置（意思表示情報生成手段，認証情報生成手段）
１８  プログラム記憶部
１９  第一補助記憶部（利用者記憶手段）
２０  第二補助記憶部（提供者記憶手段）
２１  第三補助記憶部
２２  入力判定部
２３  出力判定部
２４  認証希望者用データベース（利用者管理データベース）
２５  マーケットＨＰ提供者用データベース（ホームページ提供者管理データベース）
２６  ＨＰアドレス用データベース（ホームページアドレス管理データベース）
ｍ１  プログラムデータメモリ
ｍ２  登録番号データメモリ
ｍ３  商品金額データメモリ
ｍ４  現在日時データメモリ
ｍ５  マーケットページ番号データメモリ
【図１】
0003598436.tif 000002
【図２】
0003598436.tif 000003
【図３】
0003598436.tif 000004
【図４】
0003598436.tif 000005
【図５】
0003598436.tif 000006
【図６】
0003598436.tif 000007
【図７】
0003598436.tif 000008
【図８】
0003598436.tif 000009
【図９】
0003598436.tif 000010
【図１０】
0003598436.tif 000011
【図１１】
0003598436.tif 000012
【図１２】
0003598436.tif 000013
【図１３】
0003598436.tif 000014
【図１４】
0003598436.tif 000015
【図１５】
0003598436.tif 000016
【図１６】
0003598436.tif 000017
【図１７】
0003598436.tif 000018
【図１８】
0003598436.tif 000019
【図１９】
0003598436.tif 000020
【図２０】
0003598436.tif 000021
【図２１】
0003598436.tif 000022
【図２２】
0003598436.tif 000023
【図２３】
0003598436.tif 000024
【図２４】
0003598436.tif 000025
【図２５】
0003598436.tif 000026
【図２６】
0003598436.tif 000027
【図２７】
0003598436.tif 000028
【図２８】
0003598436.tif 000029
【図２９】
0003598436.tif 000030
【図３０】
0003598436.tif 000031
【図３１】
0003598436.tif 000032
【図３２】
0003598436.tif 000033